(57)【要約】【解決手段】本発明はバッファステータス報告を実現する方法及びシステムを開示し、前記方法は、ユーザデバイスが元のバッファステータスレベルフォーマット又は新たに追加されたバッファステータスレベルフォーマットの中の1種を使用して論理チャネルのバッファステータス(S1)を報告することを含み、その中に、前記新たに追加されたバッファステータスレベルフォーマットの中に元のバッファステータスレベルフォーマットの中のデータ量区間境界の最大値より大きい複数のデータ量区間境界の値を含む。本発明はバッファステータス報告を実現するシステム及びバッファステータス報告を実現するユーザデバイスをさらに開示する。本発明はLTE-Aシステムの中に、ユーザがバッファステータスを報告する正確性を向上させることができる。【選択図】図７
2013515408.tif 000002
【特許請求の範囲】
【請求項１】
バッファステータス報告を実現する方法であって、前記方法は、
ユーザデバイスが元のバッファステータスレベルフォーマット又は新たに追加されたバッファステータスレベルフォーマットの中の1種を使用して論理チャネルのバッファステータスを報告することを含み、
前記新たに追加されたバッファステータスレベルフォーマットの中に元のバッファステータスレベルフォーマット中のデータ量区間境界の最大値より大きい複数のデータ量区間境界の値を含むバッファステータス報告を実現する方法。
【請求項２】
新たに追加されたバッファステータスレベルフォーマットの中に複数のデータ量ランクを含み、各データ量ランクは1つのデータ量区間に対応し、元のバッファステータスレベルフォーマットの中に、最後の1つのデータ量ランクが対応するデータ量区間とはデータ量区間境界の最大値よりも大きい値の区間を意味し、前記新たに追加されたバッファステータスレベルフォーマットの中の最後のM個のランクが対応するデータ量区間は前記データ量区間境界の最大値より大きく、且つ値が順次に増大するデータ量区間であり、Mは新たに追加されたバッファステータスレベルフォーマット中のデータ量ランクの数より小さい又は等しい整数である請求項１に記載の方法。
【請求項３】
前記方法は、 
前記ユーザデバイスが論理チャネルグループの中のバッファデータ量に基づいて使用されるバッファステータスレベルフォーマットを選択し、且つこの論理チャネルグループのバッファステータスレポートを報告することをさらに含む請求項１又は２に記載の方法。
【請求項４】
前記ユーザデバイスが論理チャネルグループの中のバッファデータ量に基づいて使用されるバッファステータスレベルフォーマットを選択し、且つこの論理チャネルグループのバッファステータスレポートを報告するステップは、
前記ユーザデバイスは1つだけの論理チャネルグループのバッファステータスレポートを報告する時に、この論理チャネルグループのバッファデータ量が元のバッファステータスレベルフォーマットの中のデータ量区間境界の最大値より小さいことを判断する場合に、元のバッファステータスレベルフォーマットを使用してこの論理チャネルグループのバッファステータスレポートを報告することと、この論理チャネルグループのバッファデータ量が元のバッファステータスレベルフォーマット中のデータ量区間境界の最大値より大きい又は等しいことを判断する場合に、新たに追加されたバッファステータスレベルフォーマットを使用してこの論理チャネルグループのバッファステータスレポートを報告することを含む請求項３に記載の方法。
【請求項５】
前記ユーザデバイスが論理チャネルグループの中のバッファデータ量に基づいて使用されるバッファステータスレベルフォーマットを選択し、且つこの論理チャネルグループのバッファステータスレポートを報告するステップは、
前記ユーザデバイスは4つの論理チャネルグループのバッファステータスレポートを同時に報告する時に、論理チャネルグループのバッファデータ量の中の最大値が元のバッファステータスレベルフォーマットの中のデータ量区間境界の最大値より小さいことを判断する場合に、元のバッファステータスレベルフォーマットを使用してこの論理チャネルグループのバッファステータスレポートを報告することと、論理チャネルグループのバッファデータ量の中の最大値が元のバッファステータスレベルフォーマット中のデータ量区間境界の最大値より大きい又は等しいことを判断する場合に、新たに追加されたバッファステータスレベルフォーマットを使用してこの論理チャネルグループのバッファステータスレポートを報告することを含む請求項３に記載の方法。
【請求項６】
前記方法は、
進化型基地局は前記ユーザデバイスが元のバッファステータスレベルフォーマットを使用すべきか、それとも新たに追加されたバッファステータスレベルフォーマットを使用すべきかを確定し、且つ確定された結果を前記ユーザデバイスに通知することと、
ユーザデバイスが元のバッファステータスレベルフォーマット又は新たに追加されたバッファステータスレベルフォーマットの中の1種を使用して論理チャネルのバッファステータスを報告するステップは、前記ユーザデバイスが受信した後、前記進化型基地局が指示したバッファステータスレベルフォーマットを使用して論理チャネルのバッファステータスを報告することをさらに含む請求項１又は２に記載の方法。
【請求項７】
進化型基地局は前記ユーザデバイスが元のバッファステータスレベルフォーマットを使用すべきか、新たに追加されたバッファステータスレベルフォーマットを使用すべきかを確定するステップにおいて、
進化型基地局は、前記ユーザデバイスのサービス流量、データ伝送レート或いはサービスプロパティに基づいて、前記ユーザデバイスが元のバッファステータスレベルフォーマットを使用すべきか、新たに追加されたバッファステータスレベルフォーマットを使用すべきかを確定する請求項６中に記載の方法。
【請求項８】
バッファステータス報告を実現するシステムであって、前記システムはユーザデバイスを含み、
前記ユーザデバイスは、元のバッファステータスレベルフォーマット又は新たに追加されたバッファステータスレベルフォーマットの中の1種を使用して論理チャネルのバッファステータスを報告し、前記新たに追加されたバッファステータスレベルフォーマットの中に、元のバッファステータスレベルフォーマット中のデータ量区間境界の最大値より大きい複数のデータ量区間境界の値を含むように設置されるバッファステータス報告を実現するシステム。
【請求項９】
新たに追加されたバッファステータスレベルフォーマットの中に複数のデータ量ランクを含み、各データ量ランクが1つのデータ量区間に対応し、元のバッファステータスレベルフォーマットの中の最後の1つのデータ量ランクが対応するデータ量区間とはデータ量区間境界の最大値より大きい値の区間を意味し、前記新たに追加されたバッファステータスレベルフォーマットの中の最後のM個のランクが対応するデータ量区間は前記データ量区間境界の最大値より大きく、且つ値が順次に増大するデータ量区間であり、Mは新たに追加されたバッファステータスレベルフォーマット中のデータ量ランクの数より小さい又は等しい整数である請求項８に記載のシステム。
【請求項１０】
前記ユーザデバイスは、さらに、論理チャネルグループの中のバッファデータ量に基づいて使用されるバッファステータスレベルフォーマットを選択し、且つこの論理チャネルグループのバッファステータスレポートを報告し、その中、1つだけの論理チャネルグループのバッファステータスレポートを報告する時に、この論理チャネルグループのバッファデータ量が元のバッファステータスレベルフォーマットの中のデータ量区間境界の最大値より小さいことを判断する場合に、元のバッファステータスレベルフォーマットを使用してこの論理チャネルグループのバッファステータスレポートを報告し、この論理チャネルグループのバッファデータ量が元のバッファステータスレベルフォーマットの中のデータ量区間境界の最大値より大きい又は等しいことを判断する場合に、新たに追加されたバッファステータスレベルフォーマットを使用してこの論理チャネルグループのバッファステータスレポートを報告し、4つの論理チャネルグループのバッファステータスレポートを同時に報告する時に、論理チャネルグループのバッファデータ量の中の最大値が元のバッファステータスレベルフォーマットの中のデータ量区間境界の最大値より小さいことを判断する場合に、元のバッファステータスレベルフォーマットを使用してこの論理チャネルグループのバッファステータスレポートを報告し、論理チャネルグループのバッファデータ量の中の最大値が元のバッファステータスレベルフォーマットの中のデータ量区間境界の最大値以上であることを判断する場合に、新たに追加されたバッファステータスレベルフォーマットを使用してこの論理チャネルグループのバッファステータスレポートを報告するように設置される請求項８に記載のシステム。
【請求項１１】
前記システムは進化型基地局をさらに含み、
前記進化型基地局は、前記ユーザデバイスのサービス流量、データ伝送レート或いはサービスプロパティに基づいて、前記ユーザデバイスが元のバッファステータスレベルフォーマットを使用すべきか、新たに追加されたバッファステータスレベルフォーマットを使用すべきかを確定し、且つ確定された結果を前記ユーザデバイスに通知するように設置される請求項８に記載のシステム。
【請求項１２】
バッファステータス報告を実現するユーザデバイスであって、前記ユーザデバイスは、
元のバッファステータスレベルフォーマット又は新たに追加されたバッファステータスレベルフォーマットの中の1種を使用して論理チャネルのバッファステータスを報告し、前記新たに追加されたバッファステータスレベルフォーマットの中に元のバッファステータスレベルフォーマットの中のデータ量区間境界の最大値より大きい複数のデータ量区間境界の値を含むように設置されるバッファステータス報告を実現するユーザデバイス。
【請求項１３】
新たに追加されたバッファステータスレベルフォーマットの中に複数のデータ量ランクを含み、各データ量ランクが1つのデータ量区間に対応し、元のバッファステータスレベルフォーマットの中の最後の1つのデータ量ランクが対応するデータ量区間とはデータ量区間境界の最大値より大きい値の区間を意味し、前記新たに追加されたバッファステータスレベルフォーマットの中の最後のM個のランクが対応するデータ量区間は前記データ量区間境界の最大値より大きく、且つ値が順次に増大するデータ量区間であり、Mは新たに追加されたバッファステータスレベルフォーマット中のデータ量ランクの数より小さい又は等しい整数である請求項１２に記載のユーザデバイス。
【請求項１４】
前記ユーザデバイスは、さらに、
論理チャネルグループの中のバッファデータ量に基づいて使用されるバッファステータスレベルフォーマットを選択し、且つこの論理チャネルグループのバッファステータスレポートを報告し、その中、1つだけの論理チャネルグループのバッファステータスレポートを報告する時に、この論理チャネルグループのバッファデータ量が元のバッファステータスレベルフォーマットの中のデータ量区間境界の最大値より小さいことを判断する場合に、元のバッファステータスレベルフォーマットを使用してこの論理チャネルグループのバッファステータスレポートを報告し、この論理チャネルグループのバッファデータ量が元のバッファステータスレベルフォーマット中のデータ量区間境界の最大値より大きい又は等しいことを判断する場合に、新たに追加されたバッファステータスレベルフォーマットを使用してこの論理チャネルグループのバッファステータスレポートを報告し、4つの論理チャネルグループのバッファステータスレポートを同時に報告する時に、論理チャネルグループのバッファデータ量中の最大値が元のバッファステータスレベルフォーマットの中のデータ量区間境界の最大値より小さいことを判断する場合に、元のバッファステータスレベルフォーマットを使用してこの論理チャネルグループのバッファステータスレポートを報告し、論理チャネルグループのバッファデータ量中の最大値が元のバッファステータスレベルフォーマットの中のデータ量区間境界の最大値より大きい又は等しいことを判断する場合に、新たに追加されたバッファステータスレベルフォーマットを使用してこの論理チャネルグループのバッファステータスレポートを報告するように設置される請求項１２に記載のユーザデバイス。
【請求項１５】
前記ユーザデバイスは、さらに、
進化型基地局は前記ユーザデバイスのサービス流量、データ伝送レート或いはサービスプロパティに基づいて前記ユーザデバイスが元のバッファステータスレベルフォーマットを使用すべきか、新たに追加されたバッファステータスレベルフォーマットを使用すべきかを確定した後に、前記ユーザデバイスへ送信する確定の結果を受信するように設置される請求項１２に記載のユーザデバイス。
【発明の詳細な説明】
【技術分野】
【０００１】
本発明は無線通信技術分野に関し、特に無線ネットワークにおけるバッファステータス報告を実現する方法及びシステムに関する。
【背景技術】
【０００２】
第三世代移動通信長期的進化(Long Term Evolution、LTEと略称する)システムの進化型ユニバーサル地上無線通信アクセスネットワーク(Evolved Universal Terrestrial Radio Access Network、E-UTRANと略称する)において、上りリンクのデータは物理上りリンク共有チャネル(Physical Uplink Shared Channel、PUSCHと略称する)によって伝送される。進化型基地局(Evolved NodeB、eNBと略称する)により上りリンク無線リソースを各ユーザ端末(User Equipment、UEと略称する)に割り当てる。E-UTRANが採用するアクセス技術は直交周波数分割多重(Orthogonal Frequency Division Multiplexing、OFDMと略称する)技術であり、E-UTRANシステムの無線リソース管理は第二世代移動通信システムと比べて、帯域幅が大きく、経時変化が多いという特徴を有し、その無線リソースは時間及び周波数という二次元で出現し、負荷可能なユーザ数が大幅に増加される。
【０００３】
LTEシステムの無線リソース制御(Radio Resource Control、RRCと略称する)層はRRCメッセージを送信して、UEとeNBとの間にRRC層リンクを確立し、システムパラメータを配置し、UE能力パラメータを転送する等の多くの操作を実現する。下りリンクのRRCメッセージは物理下りリンク共有チャネル(Physical Downlink Shared Channel、PDSCHと略称する)上で送信する。システムと関連がある公共のパラメータ、例えば、セル周波数点及びセルシステム帯域幅等の情報はeNBにより放送メッセージ中に全てのセル内のUEへ送信し、放送メッセージは物理放送チャネル(Physical Broadcast Channel、PBCHと略称する)上で送信する。
【０００４】
各UEの需要に応じて各UEにリソースを割り当て、且つサービスを提供し、上り伝送中にさらに良好的な多重性能を実現するために、同時に十分にシステム帯域幅を柔軟且つ効率的に利用するために、LTEシステムはユーザの上り伝送リソースに専門の制御メッセージを割り当て制定する。PUSCHに対してリソース割り当てを行う制御メッセージはeNBによりUEに送信し、該リソース割り当て制御メッセージは上りリンクグラント(UpLink Grant、UL Grantと略称する)も呼ばれ、UL Grantは物理下りリンク制御チャネル(Physical Downlink Control Channel、PDCCHと略称する)上で送信する。
【０００５】
各UEに無線リソースを合理的に割り当てることを保証するために、LTEシステムはUEが自身のバッファ内に記憶するデータ量状態を報告することを要求し、該報告はバッファステータスレポート(Buffer Status Report、BSRと略称する)の形式でeNBに報告する。LTEシステムにおいて、UEの論理チャネル(Logical CHannel、LCHと略称する)は優先度の高低に応じて、4つの論理チャネルグループ(Logical Channel Group、LCGと略称する)に分けられ、BSRが報告したのは各LCGのグループのシリアル番号及びグループ内の全てのLCHの伝送待ちデータ量の情報である。
【０００６】
BSRはeNBがUEに対して合理的に無線リソーススケジューリングを行う重要な参考情報であるため、LTEシステムには多種のBSRのタイプ及び送信規則を規定する。BSRをトリガーする事件が異なることによって、BSRは一般バッファステータスレポート(Regular BSR)、周期的バッファステータスレポート(Periodic BSR)及びパディングバッファステータスレポート(Padding BSR)に分けられる。
【０００７】
そのうち、一般バッファステータスレポートのトリガー条件は、
1、高優先度論理チャネルの上層の伝送可能なデータが達し、その優先度がUE バッファ内に現存するLCHデータの優先度よりも高いことと、
2、サービスセルが変化することと、
3、BSR再送タイマー(RETX_BSR_TIMER)がオーバータイムし、且つUE バッファ内に伝送可能なデータを有することと、を含む。
【０００８】
周期的バッファステータスレポートのトリガー条件は、もしBSR周期的タイマー(PERIODIC BSR TIMER)がオーバタイムすると、周期的バッファステータスレポートをトリガーすることである。
【０００９】
パディングバッファステータスレポートのトリガー条件は、もし送信待ち一般バッファステータスレポートがなく、ともに送信待ち周期的バッファステータスレポートがなければ、且つ割り当てられた上りリンクPUSCHリソースの中にパディングのためのビット数がBSR 媒体アクセス制御層制御要素(Media Access Control Control Element、MAC CEと略称する)及びそのMACサブヘッダー(subheader)の大きさの和より以上であると、パディングバッファステータスレポートをトリガーすることである。
【００１０】
パディングバッファステータスレポートはパディング型のBSRであり、一般バッファステータスレポート及び周期的バッファステータスレポートの追加であり、相対的には、一般バッファステータスレポート及び周期的バッファステータスレポートは非パディング型のBSRに入れることができる。上りリンクが一般バッファステータスレポート及び周期的バッファステータスレポートを送信していない場合に、パディングバッファステータスレポートはeNBにUEバッファのLCGデータの変化状況をより素早く取得させる。
【００１１】
一般バッファステータスレポート及び周期的バッファステータスレポートはいずれも媒体アクセス制御層プロトコルデータユニット(Media Access Control Protocol Data Unit、MAC PDUと略称する)の中の1つのMAC制御要素(Control Element、CEと略称する)にカプセル化される。パディングバッファステータスレポートはMAC PDUのパディングビット(Padding)内にパディングされる。MAC PDUはPUSCH上で送信を行う。
【００１２】
従来のLTE MAC層のプロトコル標準(3Gpp TS36.321)の定義に基づいて、上記のMAC PDUは図1に示すように、1つのMAC PDUは、1つのMAC ヘッダー(header)、0個又は複数のMAC 制御要素(CE)、0個又は複数のMACサービスデータユニット(Service Data Unit 、SDUと略称する )及び選択可能なパディングビット(Padding)からなる。MACヘッダーは複数のMACサブヘッダーからなり、各MACサブヘッダーは排列の前後順序に応じて、MACヘッダーの後ろに排列されたMAC CE、MAC SDU又はPaddingに順次に対応する。
【００１３】
図2、図3及び図4が述べることはMACサブヘッダーの組成構造であり、MACサブヘッダー内に含まれるLCIDは対応するMAC CE又はMAC SDU又はPaddingのタイプであり、上りリンクLCIDの解釈は表1に示す通りである。
【表１】
2013515408.tif 000003
【００１４】
Fは対応するMAC CE或いはMAC SDU又はPaddingの長さであり、Rはリザーブビットである。
【００１５】
従来のLTE MAC層のプロトコル標準(3Gpp TS36.321)の定義に基づいて、Padding BSRはMAC PDUのPaddingビットのみを使用して送信する。
【００１６】
LTEシステムが定義されたBSRのフォーマットは2種類を有し、図5及び図6に示すように、図5に示すBSRフォーマットはショートBSRフォーマット又は短縮(Truncated)BSRフォーマットと呼ばれ、図6に示すBSRフォーマットはロングBSRフォーマットと呼ばれる。BSRは物理上りリンク共有データチャネル(Physical Uplink Shared Channel、PUSCHと略称する)によって載せられる。UEがBSRをトリガーし、且つ1つだけのLCGが伝送待ちのデータを有する場合に、UEはショートBSRフォーマットを採用してBSRを報告し、UEがトリガーしたBSRはRegular BSR又はPeriodic BSRであり、且つ複数のLCGが伝送待ちのデータを有する場合に、UEはロングBSRフォーマットを採用してBSRを報告し、UEがトリガーしたBSRはPadding BSRであり、且つ複数のLCGが伝送待ちのデータを有し、且つMAC PDU のPaddingビットの長さがロングBSRフォーマットを送信することに不十分に用いられる場合に、UEは短縮BSRフォーマットを採用してPadding BSRを報告する。
【００１７】
上記のBSRフォーマットにおいて、単一のLCGのBSRはいずれも6 bitで示し、この6 bitの値はインデックスとしてBSRのバッファサイズレベル(Buffer size levels)表の中に検索することに用いられ、フォームの具体的な内容は表2に示す通りである。
【表２】
2013515408.tif 000004
【００１８】
上記BSRのフォーマット及び送信規則の定義はいずれも従来のLTE release 8標準に定義され、従来の及び未来の急速に増長する各種の無線サービスの需要を適応するために、LTE release 8 の次の進化標準は既に制定過程にも進入し始め、すなわち、先進的なLTE(LTE-Advanced)標準である。
【００１９】
LTE-Advancedは、第三世代パートナーシッププロジェクト(the 3rd Generation Partner Project、3GPPと略称する)組織が国際電気通信連合(International Telecommunication Union、ITUと略称する)の先進的な国際移動通信(International Mobile Telecommunication-Advanced、IMT-Advancedと略称する)の要求を満たすために送り出す標準である。LTE-AdvancedシステムはLTE release 8システムに基づく1つの進化バージョンであり、それは多くの新しい技術を引き入れてIMT-Advancedの基本的な需要を満たし、その中、1つの最も重要な技術はキャリアアグリゲーションである。
【００２０】
従来の無線周波数スペクトルリソースの不足性のため、世界の各移動オペレータが持っている周波数スペクトルリソースは常に比較的に散在し、IMT-Advancedはピークレートの指標がより高い(高移動性で100Mbpsをサポートし、低移動性で1Gbpsをサポートする)ことを要求し、従来のLTE標準の最大20MHzの帯域幅でIMT-Advancedの要求を満たすことができないため、より高い帯域幅に拡張する必要があり、例えば、周波数分割復信(Frequency Division Duplexing、FDDと略称する)が80MHzを最大にサポートし、時分割復信(Time Division Duplexing、TDDと略称する)が100MHzを最大にサポートし、このため、UEが伝送できるデータ量はLTEに対して数倍も増加する。帯域幅を増加する以外、より高いレートに達するために、多入力多出力(Multiple Input Multiple Output、MIMOと略称する)もLTE-Aシステムスループットを向上させるコア技術である。上り帯域幅の増加(LTE帯域幅に対する5倍)及び上りダブルストリームMIMO(LTEシングルストリームに対する2倍)を総合的に勘案し、LTE-Aシステムにおいて、UEの上りレートはLTEの10倍に向上される。
【００２１】
元のBSRフォームの中に細粒度は最大150000のデータのみを示すことができ、他の全ての150000より大きいサービスはいずれも同一のBSRレベルに属し、即ち、もし従来通りLTEのBSRフォームを使用すると、大スループットのLTE-Aサービスは、ネットワークにUEが150000から1500000までのバッファステータスを区別できなくなって、これによって、リソースは有効的且つ合理的に割り当てられない。このため、3GPPは、LTEのBSRフォームのもとに少なくとも1枚の新しいBSRフォームをさらに追加することによって、LTE-Aの大きなサービススループットの状況で150000から1500000までのバッファステータスを精確に反映する要求を満たす。しかし、UEが複数のBSRフォームをサポートした後に、如何にこれらのフォームを使用することはまだ確定していない。
【発明の概要】
【発明が解決しようとする課題】
【００２２】
本発明が解決しようとする技術問題は、LTE-Aシステムにおけるユーザがバッファステータスを報告する正確性を向上させるバッファステータス報告を実現する方法及びシステムを提供することである。
【課題を解決するための手段】
【００２３】
上記技術問題を解決するために、本発明はバッファステータス報告を実現する方法を提供し、前記方法は、
ユーザデバイスが元のバッファステータスレベルフォーマット又は新たに追加されたバッファステータスレベルフォーマットの中の1種を使用して論理チャネルのバッファステータスを報告することを含み、
前記新たに追加されたバッファステータスレベルフォーマット中に元のバッファステータスレベルフォーマット中のデータ量区間境界の最大値より大きい複数のデータ量区間境界の値を含む。
【００２４】
新たに追加されたバッファステータスレベルフォーマット中に複数のデータ量ランクを含み、各データ量ランクは1つのデータ量区間に対応し、元のバッファステータスレベルフォーマット中に、最後の1つのデータ量ランクが対応するデータ量区間とはデータ量区間境界の最大値より大きい値の区間を意味し、前記新たに追加されたバッファステータスレベルフォーマット中の最後のM個のランクが対応するデータ量区間は、前記データ量区間境界の最大値より大きく、且つ値が順次に増大するデータ量区間であり、Mは新たに追加されたバッファステータスレベルフォーマット中のデータ量ランクの数以下の整数である。
【００２５】
前記方法は、
前記ユーザデバイスが論理チャネルグループの中のバッファデータ量に基づいて使用されるバッファステータスレベルフォーマットを選択し、且つこの論理チャネルグループのバッファステータスレポートを報告することをさらに含む。
【００２６】
前記ユーザデバイスが論理チャネルグループ中のバッファデータ量に基づいて使用されるバッファステータスレベルフォーマットを選択し、且つこの論理チャネルグループのバッファステータスレポートを報告するステップは、
前記ユーザデバイスは1つだけの論理チャネルグループのバッファステータスレポートを報告する時に、この論理チャネルグループのバッファデータ量が元のバッファステータスレベルフォーマット中のデータ量区間境界の最大値より小さいことを判断する場合に、元のバッファステータスレベルフォーマットを使用してこの論理チャネルグループのバッファステータスレポートを報告することと、この論理チャネルグループのバッファデータ量が元のバッファステータスレベルフォーマット中のデータ量区間境界の最大値以上であることを判断する場合に、新たに追加されたバッファステータスレベルフォーマットを使用してこの論理チャネルグループのバッファステータスレポートを報告することと、を含む。
【００２７】
前記ユーザデバイスが論理チャネルグループ中のバッファデータ量に基づいて使用されるバッファステータスレベルフォーマットを選択し、且つこの論理チャネルグループのバッファステータスレポートを報告するステップは、
前記ユーザデバイスは4つの論理チャネルグループのバッファステータスレポートを同時に報告する時に、論理チャネルグループのバッファデータ量中の最大値が元のバッファステータスレベルフォーマット中のデータ量区間境界の最大値より小さいことを判断する場合に、元のバッファステータスレベルフォーマットを使用してこの論理チャネルグループのバッファステータスレポートを報告することと、論理チャネルグループのバッファデータ量の中の最大値が元のバッファステータスレベルフォーマット中のデータ量区間境界の最大値以上であることを判断する場合に、新たに追加されたバッファステータスレベルフォーマットを使用してこの論理チャネルグループのバッファステータスレポートを報告することと、を含む。
【００２８】
前記方法は、
進化型基地局は前記ユーザデバイスが元のバッファステータスレベルフォーマットを使用すべきか、それとも新たに追加されたバッファステータスレベルフォーマットを使用すべきかを確定し、且つ確定された結果を前記ユーザデバイスに通知することをさらに含み、
ユーザデバイスが元のバッファステータスレベルフォーマット又は新たに追加されたバッファステータスレベルフォーマットの中の1種を使用して論理チャネルのバッファステータスを報告するステップは、前記ユーザデバイスが受信した後、前記進化型基地局が指示したバッファステータスレベルフォーマットを使用して論理チャネルのバッファステータスを報告することを含む。
【００２９】
進化型基地局は前記ユーザデバイスが元のバッファステータスレベルフォーマットを使用すべきか、新たに追加されたバッファステータスレベルフォーマットを使用すべきかを確定するステップにおいて、
進化型基地局は、前記ユーザデバイスのサービス流量、データ伝送レート或いはサービスプロパティに基づいて、前記ユーザデバイスが元のバッファステータスレベルフォーマットを使用すべきか、新たに追加されたバッファステータスレベルフォーマットを使用すべきかを確定する。
【００３０】
上記技術問題を解決するために、本発明はバッファステータス報告を実現するシステムをさらに提供し、前記システムはユーザデバイスを含み、
前記ユーザデバイスは、元のバッファステータスレベルフォーマット又は新たに追加されたバッファステータスレベルフォーマット中の1種を使用して論理チャネルのバッファステータスを報告し、前記新たに追加されたバッファステータスレベルフォーマットの中に、元のバッファステータスレベルフォーマット中のデータ量区間境界の最大値より大きい複数のデータ量区間境界の値を含むように設置される。
【００３１】
新たに追加されたバッファステータスレベルフォーマット中に複数のデータ量ランクを含み、各データ量ランクが1つのデータ量区間に対応し、元のバッファステータスレベルフォーマット中の最後の1つのデータ量ランクが対応するデータ量区間とはデータ量区間境界の最大値より大きい値の区間を意味し、前記新たに追加されたバッファステータスレベルフォーマット中の最後のM個のランクが対応するデータ量区間は前記データ量区間境界の最大値より大きく、且つ値が順次に増大するデータ量区間であり、Mは新たに追加されたバッファステータスレベルフォーマット中のデータ量ランクの数以下の整数である。
【００３２】
前記ユーザデバイスは、さらに、論理チャネルグループ中のバッファデータ量に基づいて使用されるバッファステータスレベルフォーマットを選択し、且つこの論理チャネルグループのバッファステータスレポートを報告し、その中、1つだけの論理チャネルグループのバッファステータスレポートを報告する時に、この論理チャネルグループのバッファデータ量が元のバッファステータスレベルフォーマットの中のデータ量区間境界の最大値より小さいことを判断する場合に、元のバッファステータスレベルフォーマットを使用してこの論理チャネルグループのバッファステータスレポートを報告し、この論理チャネルグループのバッファデータ量が元のバッファステータスレベルフォーマット中のデータ量区間境界の最大値以上であることを判断する場合に、新たに追加されたバッファステータスレベルフォーマットを使用してこの論理チャネルグループのバッファステータスレポートを報告し、4つの論理チャネルグループのバッファステータスレポートを同時に報告する時に、論理チャネルグループのバッファデータ量中の最大値が元のバッファステータスレベルフォーマットの中のデータ量区間境界の最大値より小さいことを判断する場合に、元のバッファステータスレベルフォーマットを使用してこの論理チャネルグループのバッファステータスレポートを報告し、論理チャネルグループのバッファデータ量中の最大値が元のバッファステータスレベルフォーマット中のデータ量区間境界の最大値以上であることを判断する場合に、新たに追加されたバッファステータスレベルフォーマットを使用してこの論理チャネルグループのバッファステータスレポートを報告するように設置される。
【００３３】
前記システムは進化型基地局をさらに含み、
前記進化型基地局は、前記ユーザデバイスのサービス流量、データ伝送レート或いはサービスプロパティに基づいて、前記ユーザデバイスが元のバッファステータスレベルフォーマットを使用すべきか、新たに追加されたバッファステータスレベルフォーマットを使用すべきかを確定し、且つ確定された結果を前記ユーザデバイスに通知するように設置される。
【００３４】
上記技術問題を解決するために、本発明はバッファステータス報告を実現するユーザデバイスをさらに提供し、前記ユーザデバイスは、
元のバッファステータスレベルフォーマット又は新たに追加されたバッファステータスレベルフォーマット中の1種を使用して論理チャネルのバッファステータスを報告し、前記新たに追加されたバッファステータスレベルフォーマットの中に元のバッファステータスレベルフォーマット中のデータ量区間境界の最大値より大きい複数のデータ量区間境界の値を含むように設置される。
【００３５】
新たに追加されたバッファステータスレベルフォーマットの中に複数のデータ量ランクを含み、各データ量ランクが1つのデータ量区間に対応し、元のバッファステータスレベルフォーマット中の最後の1つのデータ量ランクが対応するデータ量区間とはデータ量区間境界の最大値より大きい値の区間を意味し、前記新たに追加されたバッファステータスレベルフォーマットの中の最後のM個のランクが対応するデータ量区間は前記データ量区間境界の最大値より大きく、且つ値が順次に増大するデータ量区間であり、Mは新たに追加されたバッファステータスレベルフォーマット中のデータ量ランクの数以下の整数である。
【００３６】
前記ユーザデバイスは、さらに、
論理チャネルグループ中のバッファデータ量に基づいて使用されるバッファステータスレベルフォーマットを選択し、且つこの論理チャネルグループのバッファステータスレポートを報告し、その中、1つだけの論理チャネルグループのバッファステータスレポートを報告する時に、この論理チャネルグループのバッファデータ量が元のバッファステータスレベルフォーマット中のデータ量区間境界の最大値より小さいことを判断する場合に、元のバッファステータスレベルフォーマットを使用してこの論理チャネルグループのバッファステータスレポートを報告し、この論理チャネルグループのバッファデータ量が元のバッファステータスレベルフォーマット中のデータ量区間境界の最大値以上であることを判断する場合に、新たに追加されたバッファステータスレベルフォーマットを使用してこの論理チャネルグループのバッファステータスレポートを報告し、4つの論理チャネルグループのバッファステータスレポートを同時に報告する時に、論理チャネルグループのバッファデータ量中の最大値が元のバッファステータスレベルフォーマット中のデータ量区間境界の最大値より小さいことを判断する場合に、元のバッファステータスレベルフォーマットを使用してこの論理チャネルグループのバッファステータスレポートを報告し、論理チャネルグループのバッファデータ量中の最大値が元のバッファステータスレベルフォーマットの中のデータ量区間境界の最大値以上であることを判断する場合に、新たに追加されたバッファステータスレベルフォーマットを使用してこの論理チャネルグループのバッファステータスレポートを報告するように設置される。
【００３７】
前記ユーザデバイスは、さらに、
進化型基地局は前記ユーザデバイスのサービス流量、データ伝送レート或いはサービスプロパティに基づいて前記ユーザデバイスが元のバッファステータスレベルフォーマットを使用すべきか、新たに追加されたバッファステータスレベルフォーマットを使用すべきかを確定した後に、前記ユーザデバイスへ送信する確定の結果を受信するように設置される。
【発明の効果】
【００３８】
本発明の案はLTE-Aシステムにおけるユーザがバッファステータスを報告する正確性を向上させる。
【図面の簡単な説明】
【００３９】
【図１】LTE標準が定義するMAC PDU模式図である。
【図２】LTE標準が定義するMACサブヘッダー模式図である。
【図３】LTE標準が定義するMACサブヘッダー模式図である。
【図４】LTE標準が定義するMACサブヘッダー模式図である。
【図５】LTE標準が定義するショートBSR及び短縮BSRの模式図である。
【図６】LTE標準が定義するロングBSRの模式図である。
【図７】実施例におけるバッファステータス報告を実現する方法の模式図である。
【図８】実施例において、BSRフォームのゾーンビットを識別することによってeNBに元のバッファステータスレベルフォーマット及び新たに追加されたバッファステータスレベルフォーマットを区別させる方式の模式図である。
【発明を実施するための形態】
【００４０】
表2に示すLTE release 8標準の中に定義するフォーマットは本発明において元のバッファステータスレベルフォーマットと称し、BSRフォーム0と称してもよい。この元のバッファステータスレベルフォーマットの中に64個のデータ量ランク(即ち、ランク0〜63)を含み、各データ量ランクは1つのデータ量区間に対応し、このデータ量区間のエンドポイントの値はデータ量区間境界の値と称し、ランク63が対応する区間の境界の値、即ち150000はデータ量区間境界の最大値である。
【００４１】
以下、図面を結び付けて本発明の実施例を詳細に説明する。なお、矛盾しない場合には、本出願における実施例及び実施例の中の特徴は互いに任意に組み合わせられることができる。
【００４２】
本発明には1種又は多種の新たに追加されたバッファステータスレベルフォーマットを定義し、基地局及び端末は複数のバッファステータスレベルフォーマットを同時に使用することができる。
【００４３】
新たに追加されたバッファステータスレベルフォーマットの中に元のバッファステータスレベルフォーマット中のデータ量区間境界の最大値より大きい複数のデータ量区間境界の値を含む。図7に示すように、バッファステータス報告を実現する方法は、ユーザデバイスが元のバッファステータスレベルフォーマット又は新たに追加されたバッファステータスレベルフォーマットの中の1種を使用して論理チャネルのバッファステータスを報告することを含む。
【００４４】
下記実施例において、1種の新たに追加されたバッファステータスレベルフォーマット(BSR フォーム1と称する)を増加するように述べ、多種の新たに追加されたバッファステータスレベルフォーマットを増加する方式はこれと同様であり、異なる新たに追加されたバッファステータスレベルフォーマットの区別は示されたバッファデータ状態が異なることである。
【００４５】
新たに追加されたバッファステータスレベルフォーマットの中にも複数のデータ量ランクを含む、データ量ランクの数は元のバッファステータスレベルフォーマット中のデータ量ランクの数と同様であってもよく、即ち、64個のランクを有し、元のバッファステータスレベルフォーマット中のデータ量ランク数と異なってもよく、即ち、64より大きく又は64個より小さい。新たに追加されたバッファステータスレベルフォーマットの中の各データ量ランクは1つのデータ量区間にも対応し、異なるデータ量区間中のデータ量値は交差がない。
【００４６】
新たに追加されたバッファステータスレベルフォーマットの設置方式は多種を有することができ、例えば、元のバッファステータスレベルフォーマット中の最後の1つのデータ量ランクが対応するデータ量区間とはデータ量区間境界の最大値より大きい値の区間を意味し、新たに追加されたバッファステータスレベルフォーマット中の最後のM個のランクが対応するデータ量区間は前記データ量区間境界の最大値より大きく、且つ値が順次に増大するデータ量区間であり、Mは新たに追加されたバッファステータスレベルフォーマットの中のデータ量ランクの数以下の整数である。
【００４７】
eNB及びUEはいずれもキャリアアグリゲーション技術をサポートし、UEは複数のバッファステータスレベルフォーマット、即ち、複数のBSR フォームをサポートすることができる。BSR フォームはLTEシステムの中に定義されたBSRフォームであり、UEは本発明が新たに定義したBSR フォーム1をさらにサポートする。例は表3に示す通りである。最後の16個のランク(即ち、ランク48〜63)が対応するデータ量区間の中のデータ量値はいずれも元のバッファステータスレベルフォーマットの中のデータ量区間境界の最大値150000より大きく、ランク値の増加につれてそれが対応するデータ量区間の値は順次に増大し、且つより細かい粒度で150000から1595876までの間のデータを示す。表3に示すフォーマットは例のみとして使用し、ランクの数、Mの値、各ランクが対応するデータ量区間の容量の大小、及び最後のランクが対応するデータ量区間境界の最大値はいずれもシステムの需要に基づいて変更することができる。
【表３】
2013515408.tif 000005
【００４８】
本方法において、どのバッファステータスレベルフォーマットを選択して使用することに対して、大体2種類に分けることができ、即ち、ユーザ側であるUEによって確定し、及びネットワーク側であるeNBによって確定する。
【００４９】
以下、この2種類の実現方式を詳細に説明する。
【００５０】
方式１
UEによってバッファステータスレベルフォーマットを確定する方式である。
【００５１】
ユーザデバイスは自身のアルゴリズム或いは定義済みの規則に基づいて使用されるバッファステータスレベルフォーマットを選択することができる。
【００５２】
例えば、ユーザデバイスは論理チャネルグループ中のバッファデータ量に基づいて使用されるバッファステータスレベルフォーマットを選択し、或いはBSRを報告する誤差(即ち、各BSRレベルが対応する範囲)に基づいてバッファステータスレベルフォーマットを決定して選択し、且つこの論理チャネルグループのバッファデータ量が対応するバッファステータスレベルフォーマットにおけるBSR値を報告し、即ち、対応するステータスレポートを報告する。
【００５３】
ユーザデバイスは明示的な識別子或いは定義済みの規則によって、ネットワークがBSRを受信した後に、対応するバッファステータスレベルフォーマット、即ち、BSRフォームの中にバッファの大きさの実際値を検索することができる。
【００５４】
ユーザデバイスは1つだけの論理チャネルグループのバッファステータスレポートを報告し、即ち、ショート BSR或いは短縮 BSRを報告する時に、この論理チャネルグループのバッファデータ量が元のバッファステータスレベルフォーマットの中のデータ量区間境界の最大値より小さいことを判断する場合に、元のバッファステータスレベルフォーマットを使用してこの論理チャネルグループのバッファステータスレポートを報告し、この論理チャネルグループのバッファデータ量が元のバッファステータスレベルフォーマットの中のデータ量区間境界の最大値以上であることを判断する場合に、新たに追加されたバッファステータスレベルフォーマットを使用してこの論理チャネルグループのバッファステータスレポートを報告する。例えば、このLCGのデータ量が150000より大きい時に、BSR フォーム1を選択し、そうでなければ、BSR フォーム0を選択する。
【００５５】
BSRフォーム0の中のデータ量区間境界の最大値を使用する以外に、他の閾値を使用してもよい。
【００５６】
UEは該LCGの実際のバッファの大きさに基づいて、例えば、175612 < BS <= 205595の時、もしBSRフォーム0の最大値を選択閾値、即ち150000に設定すると、LCGのデータ量BSが150000より大きく、上記法則に基づいて、UEはBSR フォーム1を選択し、実際に報告したBSRレベルは49である。即ち、UEは実際のバッファがBSR フォームの選択閾値を満たすかどうかに基づいて確定する。BSR フォーム1の最小値107を選択閾値に柔軟に設定してもよく、BS が 107より小さい時、BSR フォーム0を選択し、そうでなければ、BSR フォーム1を選択する。該閾値は基地局でシグナルによってUEに通知し、各UEに異なる閾値を指定することができ、或いはプロトコルの定義済みの規則に基づいて該閾値を静的に指定し、シグナルへの修正を減少することができる。
【００５７】
上記の閾値がBSRフォームを確定する以外に、誤差法則に基づいてBSRフォームを選択して、UEがBSRフォーム1を選択することを取得でき、この時、BSはBSRフォーム1のランク49で示してもよく、BSRフォーム0のランク63で示してもよいが、BSRフォーム1のランク49が示したバッファ区間より小さく、示したLCGのデータ量はより正確であり、基地局がUEのデータ量を見積もる時の誤差をより少なくさせ、このため、UEはBSRフォーム1のランク49を選択して使用する。
【００５８】
ユーザデバイスは4つの論理チャネルグループのバッファステータスレポートを同時に報告する時、即ち、Long BSRを報告する時に、論理チャネルグループのバッファデータ量の中の最大値が元のバッファステータスレベルフォーマットの中のデータ量区間境界の最大値より小さいことを判断する場合に、元のバッファステータスレベルフォーマットを使用してこの論理チャネルグループのバッファステータスレポートを報告し、論理チャネルグループのバッファデータ量の中の最大値が元のバッファステータスレベルフォーマットの中のデータ量区間境界の最大値以上であることを判断する場合に、新たに追加されたバッファステータスレベルフォーマットを使用してこの論理チャネルグループのバッファステータスレポートを報告する。具体的には、1つのBSRの中の異なるLCGのBSRレベルは同一のBSR フォームから得られる場合、即ち、同一のBSRの中に、BSR フォーム0が示したBSRレベルを有する上に、BSR フォーム1も示したBSRレベルを有することは存在しない場合に、全てのLCGのBSRレベルはいずれもBSR フォーム0の中のBSRレベルであり、或いはいずれもBSR フォームの1中のBSRレベルである。実際のバッファの最大のLCG及びBSR フォームを選択する閾値によって比較してBSR フォームを選択する。テーブル3を例として、もし529390 < BSLCG1 <= 619778、146 < BSLCG2 <= 171、BSLCG3 = 0、BSLCG4 = 0であると、BSLCG1の値に基づいて、選択閾値より大きく、もし閾値が150000であると、UEはBSR フォーム1を選択することができ、BSRの中の各LCGの報告のBSRレベルはそれぞれBSRLCG1=56、 BSRLCG2=4、 BSRLCG3=0、 BSRLCG3=0である。もし5476 < BS LCG1 <= 6411、146 < BSLCG2 <= 171、BSLCG3 = 0、BSLCG4 = 0であると、UEはBSR フォーム0を選択し、且つBSRレベルを検索することができ、報告する時に、 BSRLCG1=42、 BSRLCG2=19、 BSRLCG3=0、BSRLCG3=0。
【００５９】
同一の伝送時間間隔(Transmission Time Interval、TTIと略称する)に複数のBSRが現れる場合に、もし1つのRegular BSRを送信し、Padding BSRを同時に携える可能性があると、同様のBSRフォーマットのBSRに対して同様のBSR フォームを使用すべきである。しかし、異なるBSRフォーマットの間、例えば、ロングBSR及びショートBSR或いは短縮 BSRの間はBSR フォームを選択する時に互いに独立であり、即ち、異なるBSR フォームを選択することができる。
【００６０】
上記フォームの選択過程の中に、基地局は参与していなく、UEが選択するBSR フォームを知ることができないため、UEがBSRを報告する時、BSR フォーム1を使用する時に識別子を携える指示が必要であり、報告されたBSRの中のBSRレベルはBSR フォーム1に対応し、もし該識別子を携えないと、デフォルトのBSR フォーム0に対応する。該識別子はBSRが対応するMACサブヘッダーの中のR bit(1に設定する)或いは新しいLCID(例えば、ショートBSR=01011、短縮 BSR=01100、ロング BSR=01101)によって区別することができ、図8に示す通りである。
【００６１】
従来のUEは基地局のバージョンを知らず、UEがLTEの基地局の中にBSR フォーム1の中のBSRレベルを報告することを防止するために、ネットワークは、放送或いは専用シグナル(RRCシグナル或いはMAC CEを含む)によってUE基地局の能力或いは基地局はUEが新しいBSR フォームを報告することをサポートするかどうかを指示する。切替過程の中に、目標基地局の該指示情報は切替命令或いはMAC CEによってUEに送信する。UEは基地局の送信する指示を受信して、UEがBSR フォーム0以外のBSR フォームを報告することを許容する場合に、UEは上記過程に応じてBSR フォームの選択を行って報告し、UEが基地局の送信する指示を受信していなければ、UEがBSR フォーム0以外のBSR フォームを報告することを許容する場合に、UEはBSR フォーム0のみを使用してBSRの報告を行う。
【００６２】
方式２
eNBによってバッファステータスレベルフォーマットを確定する方式である。
【００６３】
本方式二の中に以下の5種類の実現方法をさらに含むことができる。
【００６４】
(1)eNBはユーザデバイスのサービス流量、データ伝送レート或いはサービスプロパティに基づいて、ユーザデバイスは元のバッファステータスレベルフォーマットを使用すべきか、新たに追加されたバッファステータスレベルフォーマットを使用すべきかを確定し、且つ確定された結果をユーザデバイスに通知し、ユーザデバイスは受信した後にeNBが指示したバッファステータスレベルフォーマットを使用して論理チャネルのバッファステータスを報告する。
【００６５】
UEによって使用されたフォームを確定する方式と異なり、eNBによって使用されたフォームを確定する方式に基づいて、eNBは、専用のRRCシグナル或いはMAC CEによってUEがシグナルを受信してから使用されたBSRフォームを指定する。例えば、eNBは放送或いは専用シグナル(RRCシグナル、例えば、専用シグナルIE MAC-MainConfigに選択可能な識別子を追加してBSR フォーム1を識別して選択することと、BSR フォーム0を選択することを記入表示していないことと、或いはMAC CE、例えば、新しいMAC CEサブヘッダーを追加し、LCIDを新しい値に設置し、MAC CEサブヘッダーがBSR フォームの変更識別子であることを区別することに用いられ、UEは受信した後にBSR フォームを変更することとを含み、LCID1はBSR フォーム0を表示して使用し、LCID2はBSR フォーム1を表示して使用してもよい)によってUEにどのBSR フォームを使用するかを通知する。
【００６６】
eNBはユーザのサービス流量を使用してBSRフォームを選択する依拠としてもよい。例えば、初期状態でUEがBSR フォーム0を使用してBSRレベルを確定して報告し、eNBはUEのサービス流量が向上し、且つ予め設定する閾値を超えることを検出する時に、放送或いは専用シグナルによってUEがBSR フォーム1を使用することを指示し、UEは指示を受信した後、BSR フォーム1を使用してBSRレベルを確定して報告し、同時に基地局はBSR フォーム1も使用してUEが報告するBSRを解析し、後続の過程の中に、eNBはUEのサービス流量が下がり、且つ予め設定する閾値より低いことを検出する時に、放送或いは専用シグナルによってUEがBSR フォーム0を使用することを指示し、UEは指示を受信した後、BSR フォーム0を使用してBSRレベルを確定して報告し、同時に基地局はBSR フォーム0も使用してUEが報告するBSRを解析する。
【００６７】
eNBはユーザのデータ伝送レートを使用してBSRフォームを選択する依拠としてもよい。例えば、eNBはUEのデータ伝送レートがシステムの予め設定する閾値より大きいことを判断する時に、UEがBSR フォーム1を使用することを指定し、そうでなければ、BSR フォーム0を使用する。eNBはユーザのサービスプロパティを使用してBSRフォームを選択する依拠としてもよい。例えば、eNBはUEが使用するサービスのレベルがシステムの予め設定するレベル値より大きいことを判断する時に、UEがBSR フォーム1を使用することを指定し、そうでなければ、BSR フォーム0を使用する。
【００６８】
上記のUEによって使用されるフォームを決定する方法との区別は、本方法はUEがBSRを報告する時に、基地局はUEがカレントに使用するBSR フォームを知ることができるため、カレントにUEが使用するBSR フォームを表明する新しい指示を必要としない。
【００６９】
(2)UE はeNBへ請求を送信し、BSR フォーム1を使用することを請求し、eNBはこの請求を受信した後、この請求を受け取り、又は拒否する。eNBはこの請求を受け取る時、UEへ同意メッセージを戻し、UEはBSR フォーム1を使用してBSRを報告する。eNBはこの請求を拒否する時、UEへ拒否メッセージを戻し、UEはBSR フォーム0を使用し続ける。eNBは任意のメッセージを戻さない時、この請求を同意することも考慮することができる。
【００７０】
UE はeNBへ請求を送信し、BSR フォーム0を使用することを請求し、eNBはこの請求を受信した後、この請求を受け取り、又は拒否する。eNBはこの請求を受け取る時、UEへ同意メッセージを戻し、UEはBSR フォーム0を使用してBSRを報告する。eNBはこの請求を拒否する時、UEへ拒否メッセージを戻し、UEはBSR フォーム1を使用し続ける。eNBは任意のメッセージを戻さない時、この請求を同意することも考慮することができる。
【００７１】
(3)UEはBSRフォームを変更する必要があることを判断する時、eNBへBSRフォームを変更する請求するメッセージを送信し、eNBはUEが、使用されるBSRフォームを変更することを指示する。
【００７２】
例えば、UEはサービス流量が増加し、且つ特定閾値を超えることを判断する時、測量レポートを報告してBSRフォーム1を使用することを要求し、eNBは受信した後にUE がBSR フォーム1を使用することを指示し、UEはサービス流量が減少し、且つ特定閾値より低いことを判断する時、測量レポートを報告してBSRフォーム0を使用することを要求し、eNBは受信した後にUE がBSR フォーム0を使用することを指示する。
【００７３】
(4)UEはBSRフォーム中のデータ量区間境界の最大値又はデータ量区間境界の非ゼロ最小値を使用する時、eNBへこの最大値又は非ゼロ最小値を報告し、eNBはこの最大値又は非ゼロ最小値に基づいてUEがBSRフォームを変更する必要であることを判断する時、UEへこのUEが使用すべきであるBSRフォームを指示する。
【００７４】
eNBはUEが報告したデータ量区間境界の最大値又はデータ量区間境界の非ゼロ最小値を受信する時に、このカレントのBSR フォームの表示バッファの大きさの範囲が制限されることを推断し、BSR フォームを変更する必要がある。
【００７５】
例えば、UEがBSR フォーム0を使用する場合に、UEがBSRを報告する値は63である時、カレントのバッファBS は 150000より大きいことを示し、eNBは、UEがBSR フォーム1を使用してUEのLCGバッファデータ量の値をより精確に示すことができることを判断し、UEがBSR フォーム1を使用することを指示する。
【００７６】
(5)UEはそれが使用するBSRフォームの中のランク値をタイミングに報告し、且つeNBに報告し、eNBはUEがBSRフォームを変更する必要であることを判断する時、UEへこのUEが使用すべきであるBSRフォームを指示する。
【００７７】
例えば、UEはBSRフォーム0を使用し、eNBは、UEが報告する、それが使用するBSRフォームの中のランク値が、いずれも60から63までの区間内にあることを連続的に複数回受信する場合、eNBはUEのカレントのバッファの占用率がより高いことを判断し、さらに向上する可能性があり、eNBはUEがBSR フォーム1を使用することを指示する。
【００７８】
さらに、例えば、BSRフォーム1が表3を使用する場合には、UEはBSRフォーム1を使用し、eNBは、UEが報告する、それが使用するBSRフォーム中のランク値が、いずれも0から3までの区間内にあることを連続に複数回受信した場合、eNBはUEのカレントのバッファの占用率がより低いことを判断し、さらに低下する可能性があり、eNBはUEがBSR フォーム0を使用することを指示する。
【００７９】
eNBはBSR フォームの変更をトリガーすることを満たす複数のBSRランク値を連続に受信した後、UEがBSR フォームの変更を行うことをさらに指示し、判決の正確性を確保し、バッファの占用率が短時間に広く変化する時にBSR フォームを頻繁に変更することを減少し、シグナルの交互及びリソースの浪費を減少することができる。
【００８０】
本実施例はバッファステータス報告を実現するユーザデバイスをさらに提供し、上記ユーザデバイスは、
元のバッファステータスレベルフォーマット又は新たに追加されたバッファステータスレベルフォーマットの中の1種を使用して論理チャネルのバッファステータスを報告し、上記新たに追加されたバッファステータスレベルフォーマット中に元のバッファステータスレベルフォーマット中のデータ量区間境界の最大値より大きい複数のデータ量区間境界の値を含むように設置される。
【００８１】
新たに追加されたバッファステータスレベルフォーマット中に複数のデータ量ランクを含み、各データ量ランクは1つのデータ量区間に対応し、元のバッファステータスレベルフォーマットの中に、最後の1つのデータ量ランクが対応するデータ量区間とはデータ量区間境界の最大値より大きい値の区間を意味し、前記新たに追加されたバッファステータスレベルフォーマット中の最後のM個のランクが対応するデータ量区間は前記データ量区間境界の最大値より大きく、且つ値が順次に増大するデータ量区間であり、Mは新たに追加されたバッファステータスレベルフォーマット中のデータ量ランクの数より以下の整数である。
【００８２】
前記ユーザデバイスは、さらに、
論理チャネルグループ中のバッファデータ量に基づいて使用されるバッファステータスレベルフォーマットを選択し、且つこの論理チャネルグループのバッファステータスレポートを報告するように設置される。
【００８３】
前記ユーザデバイスは、以下のような方式に応じて、論理チャネルグループの中のバッファデータ量に基づいて使用されるバッファステータスレベルフォーマットを選択し、且つこの論理チャネルグループのバッファステータスレポートを報告するように設置される。
【００８４】
1つだけの論理チャネルグループのバッファステータスレポートを報告する時に、この論理チャネルグループのバッファデータ量が元のバッファステータスレベルフォーマット中のデータ量区間境界の最大値より小さいことを判断する場合に、元のバッファステータスレベルフォーマットを使用してこの論理チャネルグループのバッファステータスレポートを報告し、この論理チャネルグループのバッファデータ量が元のバッファステータスレベルフォーマット中のデータ量区間境界の最大値以上であることを判断する場合に、新たに追加されたバッファステータスレベルフォーマットを使用してこの論理チャネルグループのバッファステータスレポートを報告し、
4つの論理チャネルグループのバッファステータスレポートを同時に報告する時に、論理チャネルグループのバッファデータ量の中の最大値が元のバッファステータスレベルフォーマットの中のデータ量区間境界の最大値より小さいことを判断する場合に、元のバッファステータスレベルフォーマットを使用してこの論理チャネルグループのバッファステータスレポートを報告し、論理チャネルグループのバッファデータ量中の最大値が元のバッファステータスレベルフォーマット中のデータ量区間境界の最大値以上であることを判断する場合に、新たに追加されたバッファステータスレベルフォーマットを使用してこの論理チャネルグループのバッファステータスレポートを報告する。
【００８５】
前記ユーザデバイスは、さらに、
進化型基地局は、前記ユーザデバイスのサービス流量、データ伝送レート或いはサービスプロパティに基づいて前記ユーザデバイスが元のバッファステータスレベルフォーマットを使用すべきか、新たに追加されたバッファステータスレベルフォーマットを使用すべきかを確定した後、前記ユーザデバイスへ送信する確定結果を受信するように設置される。
【００８６】
以上の内容は本発明の好適な実施例のみであり、本発明の保護範囲を限定することに用いられない。本発明の発明内容に基づいて、他の多種の実施例をさらに有することができ、本発明精神及びその実質を逸脱しない場合には、当然、当業者は本発明に基づいて各種の相応する変更及び変形を作ることができ、本発明の精神及び原則内に、行われる任意の修正、均等置換、改善等はいずれも本発明の保護範囲内に含まれるべきである。
【００８７】
当業者は、上記方法における全部又は一部のステップはプログラムによって関連ハードウェアを指令して完了することができ、前記プログラムはコンピュータ読み取り可能な記憶メディア、例えば、読み取り専用メモリ、磁気ディスク又は光学ディスク等に記憶されることができることを理解することができる。選択的に、上記実施例における全部又は一部のステップは1つ又は複数の集積回路を使用して実現することもできる。それに応じて、上記実施例における各モジュール/ユニットはハードウェアの形式を採用して実現してもよく、ソフトウェア機能モジュールの形式を採用して実現してもよい。本発明は、いずれかの特定形式のハードウェアとソフトウェアとの結合に限定されない。
【産業上の利用可能性】
【００８８】
本発明はLTE-Aシステムの中に、ユーザがバッファステータスを報告する正確性を向上させることができる。
【図１】
2013515408.tif 000006
【図２】
2013515408.tif 000007
【図３】
2013515408.tif 000008
【図４】
2013515408.tif 000009
【図５】
2013515408.tif 000010
【図６】
2013515408.tif 000011
【図７】
2013515408.tif 000012
【図８】
2013515408.tif 000013
【国際調査報告】
2013515408.tif 000014
2013515408.tif 000015
2013515408.tif 000016
2013515408.tif 000017